(57)【要約】      （修正有）【課題】構造が簡単かつ壁面への取り付けが容易な照明付廻り縁を提供する。【解決手段】天井近傍の壁面に取り付けて使用される廻り縁であって、裏面を天井近傍の壁面に対向させて取り付けられる板状の本体部１０と、本体部１０の取付面２０に取り付けられた照明部１１とからなり、本体部１０には、その表面に対して交差しかつ本体部１０の厚さ方向に向かって延びるように交差面２２が形成されており、取付面２０は、本体部１０の表面において交差面２２よりも上方に位置する上方表面部２１および／または交差面２２である。【選択図】図１
0003173183.tif 000002
【実用新案登録請求の範囲】
【請求項１】
天井近傍の壁面に取り付けて使用される廻り縁であって、
裏面を天井近傍の壁面に対向させて取り付けられる板状の本体部と、該本体部の取付面に取り付けられた照明部と、からなり、
前記本体部には、
その表面に対して交差し、かつ該本体部の厚さ方向に向かって延びるように交差面が形成されており、
前記取付面は、
前記本体部の表面において前記交差面よりも上方に位置する上方表面部および／または前記交差面である
ことを特徴とする照明付廻り縁。
【請求項２】
前記照明部は、
前記本体部の軸方向に沿って配設された複数のＬＥＤ光源部を備えており、
前記交差面は、
前記本体部の軸方向に沿って延びた面である
ことを特徴とする請求項１記載の照明付廻り縁。
【請求項３】
前記照明部は、
帯状に形成された部材であって、その長手方向に沿って配設された前記複数のＬＥＤ光源部を備えている
ことを特徴とする請求項１または２記載の照明付廻り縁。
【請求項４】
前記交差面は、
下傾するように形成されている
ことを特徴とする請求項１、２または３記載の照明付廻り縁。
【請求項５】
前記交差面は、
水平面に対してなす角度が０度〜４５度となるように形成されている
ことを特徴とする請求項４記載の照明付廻り縁。
【考案の詳細な説明】
【技術分野】
【０００１】
本考案は、廻り縁に関する。さらに詳しくは、照明機能を有する廻り縁に関する。
【背景技術】
【０００２】
従来、室内において、ダウンライトなどの光源から放射された直接光によって室内を照らしだす直接照明器具が採用されている。この直接照明器具は、直接光によって室内空間の光を屋外に近い明るさにする照明器具である。
【０００３】
近年のライフスタイルの変化により、室内において、気分が落ち着く心地よい空間が求められている。このような空間をつくりだす手法として間接照明が採用されている。間接照明とは、直接光によって室内空間を照らし出すものでなく、光源から放射された光を天井面や壁面に放射し、天井面等で反射された反射光（以下、間接照明光という）によって室内空間を照らしだすというものである。この間接照明を採用した部屋などは、光源から放射された直接光によって室内を照らしだす直接照明を採用する場合に比べて室内を落ち着いた雰囲気にすることができる。このため、間接照明機能を有する間接照明器具を備えた部屋は、室内に入ってきた人に対して落ち着いた心地良い空間を形成することができる。
【０００４】
間接照明器具として、例えば、天井面近傍の壁面から突出した突出部と、この突出部と天井面との間に配設される照明装置とを備えた間接照明器具が提案されている（例えば、特許文献１）。特許文献１の間接照明器具では、天井面近傍（例えば天井面から約２００〜３００ｍｍの下方）の壁面に、この壁面から前方に突出した張出し部（例えば、奥行きが約２００〜３００ｍｍ）のものが形成されており、この張出し部と天井面との間に照明装置が配設されている。すると、張出し部によって照明装置の光源から放射された光のうち下方に向かって放射された光を遮光することができるので、室内空間を間接照明光によって照らしだすことができる。
また、間接照明器具として、例えば、壁面内に照明器具を配設し得る収容部と、この収容部内に配設する照明器具とを備えた間接照明器具が提案されている（例えば、特許文献２）。特許文献２の間接照明器具では、壁内部に天井面近傍の壁面に開口部を有する断面略逆Ｌ字状の収容部が設けられており、この収容部内の内底部には照明器具が配設されている。すると、収容部内に照明器具を配設しているので、照明器具の光源から放射された光を直接室内へ放射することなく、一旦収容部内の開口部近傍の内壁面に反射させてから開口部を通して室内へ放射させることができる。このため、室内空間を間接照明光によって照らしだすことができる。
【０００５】
しかるに、上述した壁面に張出し部を備えた間接照明器具では、張出し部が天井面から約２００〜３００ｍｍ下方の壁面に形成されており、しかも張出し部が壁面から約２００〜３００ｍｍ突出しているので、壁面近傍では天井が室内中央部に比べて低くなるような印象を与える。すると、かかる間接照明器具を対向する壁面間の距離が短い廊下などの室内に設けた場合には天井全体が低くなっているように印象を与えるので、人に対して圧迫感を生じさせるという問題がある。また、張出し部を壁面から突出するように形成する必要があるので、壁面の構造が複雑になるといった問題が生じる。さらに、張出し部を保持するために壁構造を補強しなければならないので、かかる間接照明器具を設置するための作業工数が多くなる、といった問題が生じる。
【０００６】
一方、壁内部に照明装置を収容する収容部を有する構造等にすれば、張出し部を形成しなくてもよいが、装置および壁面構造が複雑になるし、かかる間接照明器具を設置するための作業工数が多くなる、といった問題が生じる。
【０００７】
かかる事情もあり、間接照明器具および壁面の構造を複雑にすることなく、間接照明器具を配置するための作業工数を短時間で行うことができ、間接照明器具を配置した状態において人に対して圧迫感を感じさせないものが望まれている。
【先行技術文献】
【特許文献】
【０００８】
【特許文献１】特開  ２０１１−９０９９２号公報
【特許文献２】特開  ２００９−１５２１４５号公報
【考案の概要】
【考案が解決しようとする課題】
【０００９】
本考案は上記事情に鑑み、間接照明として使用でき、構造が簡単かつ壁面への取り付けが容易な照明付廻り縁を提供することを目的とする。
【課題を解決するための手段】
【００１０】
第１考案の照明付廻り縁は、天井近傍の壁面に取り付けて使用される廻り縁であって、裏面を天井近傍の壁面に対向させて取り付けられる板状の本体部と、該本体部の取付面に取り付けられた照明部と、からなり、前記本体部には、その表面に対して交差し、かつ該本体部の厚さ方向に向かって延びるように交差面が形成されており、前記取付面は、前記本体部の表面において前記交差面よりも上方に位置する上方表面部および／または前記交差面であることを特徴とする。
第２考案の照明付廻り縁は、第１考案において、前記照明部は、前記本体部の軸方向に沿って配設された複数のＬＥＤ光源部を備えており、前記交差面は、前記本体部の軸方向に沿って延びた面であることを特徴とする。
第３考案の照明付廻り縁は、第１または第２考案において、前記照明部は、帯状に形成された部材であって、その長手方向に沿って配設された前記複数のＬＥＤ光源部を備えていることを特徴とする。
第４考案の照明付廻り縁は、第１、第２または第３考案において、前記交差面は、下傾するように形成されていることを特徴とする。
第５考案の照明付廻り縁は、第４考案において、前記交差面は、水平面に対してなす角度が０度〜４５度となるように形成されていることを特徴とする。
【考案の効果】
【００１１】
第１発明によれば、本体部には交差面が形成されているので、上方表面部に照明部を取り付けた場合、照明部から本体部近傍の下方に向かって放射された直接光を交差面によって遮光することができる。また、交差面に照明部を取り付けた場合、照明部から放射される直接光は交差面よりも上方にしか放射されないので、交差面よりも下方へ向かう直接光を確実に遮光することができる。すると、天井近傍の壁面に照明付廻り縁を取り付けた状態において、本体部近傍の下方へ向かう直接光を遮光することができ、かつ天井面などに向かっても直接光を放射させることができる。すると、天井面などに向かって放射された直接光は天井面などで反射して反射光となり天井面から下方に向かって放射される。つまり、間接照明光となって室内等の空間を照らしだすことができるのである。したがって、天井近傍の壁面に照明付廻り縁を取り付けるだけで、間接照明光によって室内を照らしだすことができる。しかも、間接照明光で室内を照らし出すための特別な張出し構造物を天井や壁に形成する必要もなく、さらに壁内部に照明部を収容するための特別な収容空間も不要となる。このため、照明付廻り縁の設置作業の工数を少なくすることができるし、既存の天井近傍の壁面に取り付けることができる。さらに、天井や壁に特別な張出し構造物が不要となるので、天井の高さを壁面近傍までほぼ同じ高さに維持することができるから、人に対して圧迫感を生じさせない室内空間を形成することができる。
第２発明によれば、取付面に複数のＬＥＤ光源部を容易に取り付けることができ、本体部の軸方向に沿った広い範囲の上方に向かって直接光を放射せることができる。すると、天井近傍の壁面に照明付廻り縁を取り付けた状態において、本体部の長手方向に沿った広い範囲の室内を間接照明光によって照らしだすことができる。また、交差面が軸方向に沿って延びた面になるように形成されているので、照明部を上方表面部に取り付けた場合、本体部近傍の下方に向かって放射された直接光を交差面によって確実に遮光することができる。
第３発明によれば、帯状の照明部には複数のＬＥＤ光源部が設けられているので、照明部を取付面に取り付けるだけで、一度に複数のＬＥＤ光源部を本体部に取り付けることができる。すると、ＬＥＤ光源部だけをそれぞれ別個に本体部に取り付ける必要もないので、本体部に対して照明機能を付与する作業工数を少なくすることができる。
第４発明によれば、交差面が下傾、つまり本体部を壁面に取り付けた状態において前面に向かって交差面が傾斜しているので、照明部を交差面に取り付けた場合、交差面が水平面とほぼ並行になるように形成されている場合に比べて、より本体部から離れた天井面などに直接光を放射することができる。すると、間接照明光の照度を室内の用途に合わせて調整することができ、しかも、より広い範囲の室内空間を間接照明光によって照らしだすことができる。
第５発明によれば、水平面に対してなす角度が０度〜４５度となるように形成されているので、室内の用途に合わせた照度を調整しつつ、確実に間接照明によって室内を照らしだすことができ、しかも、より広い範囲の室内空間を間接照明光によって照らしだすことができる。
【図面の簡単な説明】
【００１２】
【図１】（Ａ）は本実施形態の照明付廻り縁１の概略斜視図とその要部概略拡大図であり、（Ｂ）は本実施形態の照明付廻り縁１の概略断面図とその要部概略拡大図である。
【図２】（Ａ）は本実施形態の照明付廻り縁１を天井Ｃ近傍の壁面ＷＳに取り付けた状態において、本実施形態の照明付廻り縁１を使用したときの概略説明図であり、（Ｂ）は本実施形態の照明付廻り縁１を天井Ｃ近傍の壁面ＷＳに取り付けた状態において、本実施形態の照明付廻り縁１を使用したときの要部概略拡大図である。
【図３】（Ａ）は本実施形態の照明付廻り縁１を正面から見た概略図であり、（Ｂ）は照明付廻り縁１における本体部１０単体を正面から見た概略図であり、（Ｃ）は照明付廻り縁１における照明部１１単体を正面から見た概略図である。
【図４】（Ａ）は照明部１１を交差面２２に取り付けた際の照明付廻り縁１の概略断面図であり、（Ｂ）は交差面２２を水平面に対して下傾するように形成した照明付廻り縁１の概略断面図であり、（Ｃ）は交差面２２を水平面に対して下傾するように形成した他の実施形態の照明付廻り縁１の概略断面図である。
【図５】（Ａ）および（Ｂ）は上方表面部２１をその断面が円弧状になるように取付面２０を形成した他の実施形態の照明付廻り縁１の概略断面図であり、（Ｃ）は上方表面部２１をその断面が円弧状になるように取付面２０を２個形成した他の実施形態の照明付廻り縁１の概略断面図である。
【考案を実施するための形態】
【００１３】
つぎに、本考案の実施形態を図面に基づき説明する。
本考案の照明付廻り縁は、天井近傍の壁面に取り付けて使用される廻り縁であって、特別な張出し構造物を天井等に形成したり、壁内部に照明装置を収容するための特別な収容空間をも形成しなくても、室内を間接照明光によって照らしだすことができるようにしたことに特徴を有するものである。
【００１４】
以下では、建物などにおいて、廊下や室内の天井近傍の壁面に取り付ける場合を説明するが、本考案の照明付廻り縁を取り付ける場所は廊下や室内などに限定されない。例えば、玄関ポーチなどに設けられた壁面や建物の外壁のように、天井と壁面などがあれば取り付けることが可能である。
【００１５】
つぎに、本実施形態の照明付廻り縁１を説明する。
まず、本実施形態の照明付廻り縁１の構造を説明する前に、本実施形態の照明付廻り縁１を室内に取り付けて使用する状況を図２に基づいて説明する。
【００１６】
図２に示すように、本考案の照明付廻り縁１は、天井Ｃ近傍の壁面ＷＳに取り付けて使用するものであり、照明付廻り縁１から放射された直接光を室内の天井面ＣＳや壁面ＷＳなどに反射させて、この反射光つまり間接照明光によって室内を照らしだすことができるものである。言い換えれば、本考案の照明付廻り縁１を天井Ｃ近傍の壁面ＷＳに取り付けるだけで、間接照明光によって室内空間を照らしだすことができるのである。なお、この間接照明光を用いて室内空間を照らしだすことを間接照明といい、この間接照明を用いた照明器具を間接照明器具という。
しかも、本考案の照明付廻り縁１は、天井Ｃ近傍の壁面ＷＳに取り付けるだけで間接照明を実現できる。つまり、間接照明光を作りだすために天井Ｃや壁Ｗには特別な張出し構造物を設けなくてもよいので、天井面ＣＳと壁面ＷＳの境界付近まで天井面ＣＳをすっきりとさせることができる。したがって、室内の天井Ｃは、その高さが中央部から壁面ＷＳまでほぼ同じ天井高さを維持することができるから、圧迫感を感じさせない室内空間を形成することができ、しかも、間接照明光を採用した室内は光源から放射された直接光によって室内を照らしだす直接照明を採用する場合に比べて室内を落ち着いた雰囲気にすることができる。このため、間接照明機能を有する本考案の照明付廻り縁１を備えた部屋は、室内に入ってきた人に対して落ち着いた心地良い空間を形成することができる。
【００１７】
つぎに、本実施形態の照明付廻り縁１について説明する。
図１に示すように、本実施形態の照明付廻り縁１は、本体部１０と、照明部１１とを備えている。
【００１８】
（本体部１０の説明）
本体部１０は、板状の長尺な部材であり、一般的な建物に使用されている廻り縁と同程度の大きさのものである。この本体部１０の大きさは、一般的な廻り縁と同等であれば、とくに限定されない。例えば、厚さが１０〜２５ｍｍ程度であり、高さが４０〜８０ｍｍ程度のものを使用することができる。
【００１９】
本体部１０には、表面上部に切り欠きが形成されている。詳細には、本体部１０は、上面（本体部１０を壁面ＷＳに取り付けた状態における上方の面）と、表面（本体部１０を壁面ＷＳに取り付けた状態における正面の面）が交差して形成された角を含みかつ両面を繋ぐ面で切り取られた構造を有している。そして、本体部１０の切り取られた部分には、照明部１１を取り付けるための取付面２０が形成されている。なお、取付面２０の詳細については後述する。
【００２０】
本体部１０は、例えば、図１に示すように、切欠きによって形成された表面が断面略Ｌ字状になるように形成することができるが、この切欠きによって形成される取付面２０は、照明部１１を取り付けることができ、かつ取付面２０の表面側端縁から上面側端縁に向かって形成された面が水平方向に対して下方に向かないような面であれば、とくに限定されない。
【００２１】
（取付面２０の説明）
図１に示すように、取付面２０は、本体部１０の裏面（壁面ＷＳに対向する面）と略平行に形成された面（以下、上方表面部２１という）と、この上方表面部２１よりも下方に位置しかつ上方表面部２１に対してほぼ直交するように形成された面（以下、交差面２２という）とから形成されている。言い換えれば、交差面２２は、その面が上方表面部２１の面に対して交差するように形成されているのである。そして、交差面２２は、その表面側の先端から本体部１０の厚さ方向に向かって上方表面部２１と交差する基端までの距離つまり奥行の長さＬが、照明部１１を交差面２２に取り付ける場合、照明部１１の幅と同等またはそれ以上になるように形成されている。
【００２２】
なお、図１に示すように、交差面２２は、本体部１０において上方表面部２１よりも前方に張出した部分である張出し部の上面を形成するように形成されている。
また、この張出し部の形状は、その上面が上述した交差面２２になるように形成された形状であれば、その上面よりも下方の形状はとくに限定されない。
【００２３】
（照明部１１の説明）
照明部１１は、光を放射するための光源を備えており、上述した本体部１０の取付面２０に取り付けられる大きさのものであれば、とくに限定されない。
例えば、図１に示すように、光源がＬＥＤ光源部１２で形成されていれば、照明部１１を薄くかつ小さくすることができるので好適である。この場合、照明部１１を薄くできるので、本体部１０の厚さも一般の廻り縁と同等のレベルの厚さにすることができる。
なお、この照明部１１は、図１に示すように、上述した取付面２０に取り付けることができる構造となっている。
【００２４】
以上のごとく、本実施形態の照明付廻り縁１は、本体部１０に交差面２２が形成されているので、上方表面部２１に照明部１１を取り付けた場合、照明部１１から本体部１０近傍の下方に向かって放射された直接光を交差面２２によって遮光することができる。  具体的には、図２（Ｂ）に示すように、照明部１１の中心を含む水平面ＨＡよりも下方に向かって放射された直接光は、照明部１１の中心を含む水平面ＨＡと、照明部１１の中心と交差面２２の先端とを通る線（以下、遮光線ＳＬという）で形成されたなす角度αの範囲内で本体部１０の前方に向かって放射される。つまり、照明部１１から放射された直接光のうち、斜光線ＳＬよりも外方に向かって放射された光を交差面２２によって遮光することができるのである。
すると、天井Ｃ近傍の壁面ＷＳに本実施形態の照明付廻り縁１を取り付けた状態において、本体部１０近傍の下方へ向かう直接光を交差面２２によって全てまたは一部を遮光することができる。そして、照明部１１から放射された他の直接光を天井面ＣＳや本体部１０を取り付けた壁面ＷＳに対向する壁面ＷＳなどに向かって放射させることができる。すると、天井面ＣＳなどに向かって放射された直接光は、天井面ＣＳなどによって反射して反射光となり天井面ＣＳから下方に向かって放射される。このため、天井Ｃ近傍の壁面ＷＳに本実施形態の照明付廻り縁１を取り付けた部屋は、その室内が間接照明光によって照らしだされるのである。
【００２５】
したがって、天井Ｃ近傍の壁面ＷＳに本実施形態の照明付廻り縁１を取り付けるだけで、間接照明光によって室内を照らしだすことができる。
【００２６】
しかも、図２（Ａ）に示すように、間接照明光で室内を照らしだすための特別な張出し構造物を天井や壁に形成する必要もなく、さらに壁内部に照明部を収容するための特別な収容空間も不要となる。このため、本実施形態の照明付廻り縁１の設置作業の工数を少なくすることができるし、既存の天井近傍の壁面に取り付けることができる。さらに、天井や壁に特別な張出し構造物が不要となるので、天井Ｃの高さを壁面ＷＳ近傍までほぼ同じ高さに維持することができるから、人に対して圧迫感を生じさせない室内空間を形成することができる。
【００２７】
また、交差面２２の奥行き長さＬが照明部１１の幅と同等またはそれ以上に形成されていれば、この交差面２２に照明部１１を取り付けることができる。すると、照明部１１から放射される直接光は、交差面２２よりも上方に放射させることができので、交差面２２よりも下方へ向かう直接光を確実に遮光することができる。すると、本体部１０近傍の下方へ向かう直接光を確実に遮光することができる。つまり、確実に間接照明光によって室内空間を照らしだすことができるのである。
【００２８】
以下、より具体的に各部の構造について説明する。
【００２９】
（取付面２０の詳細な説明）
取付面２０は、上述したように上方表面部２１と交差面２２とから形成されている。この交差面２２は、本体部１０の軸方向に沿って延びた面になるように形成されている。
具体的には、図１に示すように、本体部１０には、本体部１０の両端間を連続してつなぐように断面が略Ｌ字状の切欠が形成されているので、本体部１０の表面に連続する上方表面部２１と交差面２２とが形成される。そして、この上方表面部２１は、本体部１０の裏面と略並行な面になるように形成されており、この上方表面部２１に対して略直交するように交差面２２が形成されている。つまり、照明部１１を上方表面部２１のどの位置に取り付けても、照明部１１の前方には常に交差面２２が存在しているのである。すると、照明部１１から放射された直接光のうち遮光線ＳＬよりも外方に向かって放射された光を交差面２２によって確実に遮光することができる。すると、天井Ｃ近傍の壁面ＷＳに本実施形態の照明付廻り縁１を取り付けた状態において、本体部１０の長手方向に沿った広い範囲の間接照明光によって室内を照らしだすことができる。
【００３０】
また、本体部１０の厚さを変えれば、交差面２２の奥行きの長さＬを調整することができる。つまり、照明部１１の中心を通る水平面ＨＡと斜光線ＳＬとが形成するなす角度αを調整することができるのである。すると、交差面２２によって遮光できる光量を調整できるので、間接照明光の照度を調整することができる。
【００３１】
（照明部１１の詳細な説明）
図１および図３（Ｃ）に示すように、照明部１１は、帯状に形成された部材であって、その長手方向の軸ＡＬ２に沿って、複数のＬＥＤ光源部１２が配設されたものである。この照明部１１は、透光性を有し、かつ、柔軟性を有する被覆部１３によって覆われた光帯状部材と、から構成されている。
【００３２】
（ＬＥＤ光源部１２の説明）
複数のＬＥＤ光源部１２は、上述した照明部１１の長手方向の軸ＡＬ２に沿って、所望の間隔を開けてほぼ一列に配置されている。
具体的には、図３（Ｃ）に示すように、この複数のＬＥＤ光源部１２は、正面視において、各ＬＥＤ光源部１２が帯状の部材の上に、その長手方向の軸ＡＬ２に沿って、約２０ｍｍ〜２５ｍｍ間隔を開けてほぼ一列に配置されている。つまり、この複数のＬＥＤ光源部１２は、その配列方向の軸が、上記照明部１１の長手方向の軸ＡＬ２と一致するように形成されているのである。
この場合、個々のＬＥＤ光源部１２から放射される光の重なりが小さくなるので、少ないＬＥＤ光源部１２でより効率良く本体部１０の正面方向に向かって光を放射することができる。
【００３３】
個々のＬＥＤ光源部１２は、基盤１２ｂと、この基盤１２ｂ上に連結するように配置された発光体１２ｅと、から形成されている。
例えば、図１に示すように、基盤１２ｂは、約３〜６ｍｍ四方の略正方形であり、発光体１２ｅは、直径約２〜４ｍｍの略円形であり、両者を重ねあわせた状態の厚さが約２〜４ｍｍとなるように形成することができるが、基盤１２ｂおよび発光体１２ｅは、連結した状態において上述した光帯状部材の内部に収容され得る大きさであれば、その形状および大きさは、とくに限定されない。
なお、このＬＥＤ光源部１２は、隣接するＬＥＤ光源部１２同士が、薄い導線などで電気的に接続されている。
また、ＬＥＤ光源部１２の発光体１２ｅから放射される光の角度（いわゆる配光角）は５〜１３５度であるが、その角度はとくに限定されない。
【００３４】
（被覆部１３の説明）
図１（Ｂ）に示すように、上述したＬＥＤ光源部１２は、被覆部１３で覆われている。この被覆部１３は、透光性を有し、かつ、柔軟性を有する樹脂で形成されている。
この被覆部１３は、透光性を有するので、被覆部１３内のＬＥＤ光源部１２から放射された光を被覆部１３外に放射することができる。
また、被覆部１３は、ＬＥＤ光源部１２を完全に覆っているので、ＬＥＤ光源部１２にゴミや埃が付着するのを防止できる。
しかも、被覆部１３は、柔軟性を有するので、ある程度の衝撃などが被覆部１３表面に加えられた場合、その加えられた力は、直接内部のＬＥＤ光源部１２に伝達されない。このため、被覆部１３は、ある程度の衝撃などが加えられた場合でも、被覆部１３内のＬＥＤ光源部１２が破損等することを防ぐことができる。
【００３５】
とくに、図１（Ｂ）に示すように、この被覆部１３を、帯状に形成し、その内部に複数のＬＥＤ光源部１２を配設したものが好ましい。
【００３６】
例えば、図１（Ｂ）に示すように、被覆部１３は、断面矩形状になるように形成されており、その内部に、略一列に配列された複数のＬＥＤ光源部１２が配設されている。
この場合、帯状の被覆部１３の内部に複数のＬＥＤ光源部１２が配設されており、隣接するＬＥＤ光源部１２の基盤１２ｂや両者間を電気的に接続する導線などを含む基盤部も被覆部１３によって覆われている。すると、取付面２０に照明部１１を取り付けるときに隣接するＬＥＤ光源部１２間の断線などの作業ミスなどが発生することを防止でき、作業効率を上げることができる。
【００３７】
また、帯状の照明部１１には複数のＬＥＤ光源部１２が設けられているので、照明部１１を取付面２０に取り付けるだけで、一度に複数のＬＥＤ光源部１２を本体部１０に取り付けることができる。すると、ＬＥＤ光源部１２だけをそれぞれ別個に本体部１０の取付面２０に取り付ける必要もないので、本体部１０に対して照明機能を付与する作業工数を少なくすることができる。
【００３８】
さらに、照明部１１を本体部１０の取付面２０に取り付ける際に、照明部１１を本体部１０の長手方向の軸に並行となるよう取り付けることができるので、照明部１１を本体部１０の長手方向の軸に沿って綺麗かつ確実に取り付けることができる。
【００３９】
例えば、図３に示すように、照明部１１を本体部１０の上方表面部２１に取り付けるときに、照明部１１の長手方向の軸ＡＬ２が上方表面部２１の長手方向の軸ＡＬ１と並行になるように取り付ける。すると、照明部１１を上方表面部２１に取り付けた状態において、複数のＬＥＤ光源部１２がその配列方向の軸が照明部１１の長手方向の軸ＡＬ２上に位置するように配列されるので、それぞれのＬＥＤ光源部１２と交差面２２との相対的な位置関係がほぼ同じ状況となる。このため、図２（Ａ）に示すように、廊下や室内などの本体部１０を天井Ｃ近傍の壁面ＷＳに取り付けた状態において、本体部１０軸方向に沿って均一かつ綺麗な間接照明光によって廊下や室内などの室内空間を照らしだすことができる。
【００４０】
上述した照明部１１の取り付け例では、上方表面部２１に照明部１１を取り付けた場合について説明したが、図４に示すように、照明部１１は交差面２２に取り付けてもよい。
【００４１】
図４（Ａ）に示すように、交差面２２は、その奥行きの長さＬが照明部１１の幅と略同じ長さになるように形成されているので、照明部１１を交差面２２に取り付けることができる。この場合、交差面２２が軸方向に沿って延びた面になるように形成されているので、照明部１１の取り付けが容易となる。また、照明部１１が複数のＬＥＤ光源部１２を備えていれば、本体部１０の軸方向に沿った広い範囲の上方に向かって直射光を放射させることができるので、より確実な間接照明によって室内空間を照らしだすことができる。
【００４２】
また、交差面２２が水平面ＨＢに対して下傾するように形成されていてもよい。つまり、本体部１０を壁面ＷＳに取り付けた状態において交差面２２は、その基端から本体部１０の表面側（前面側）の先端に向かって下傾するように形成されていてもよい。言い換えれば、交差面２２と水平面ＨＢとのなす角度βが所望の値になるように交差面２２が形成されていてもよい。この場合、交差面２２が水平面ＨＢとほぼ並行になるように形成されている場合に比べて、より本体部１０から離れた天井面ＣＳに対して直接光を放射することができる。すると、交差面２２に取り付けられた照明部１１から放射された直接光を、この交差面２２よりも上方に向かって放射させるので、なす角度βに応じて本体部１０から離れた天井面ＣＳに放射させることができる。このため、間接照明光の照度を室内の用途に合わせて調整することができ、しかも、より広い範囲の室内空間を間接照明光によって照らしだすことができる。
【００４３】
具体的には、図４（Ｂ）に示すように、なす角度βが０度〜４５度になるように、交差面２２が形成されていれば、室内の用途に合わせて照度を調整しつつ、確実に間接照明光によって室内を照らしだすことができ、しかも、より広い範囲の室内空間を間接照明光によって照らしだすことができる。
【００４４】
また、取付面２０を図４（Ｃ）に示すように形成したものも採用してもよい。この場合、照明部１１を取付面２０に取り付ければ、図４（Ｂ）の場合と同様の効果を奏することができる。しかも、この取付面２０は、本体部１０の上面と表面とで形成される角を落とす（切除する）だけで形成できるので、本体部１０を簡単に製造することができる。
【００４５】
本体部１０は、上述したように本体部１０の上面と表面とを繋ぐ面で切り欠いて取り付面２０を形成する場合について説明したが、図５に示すように、本体部１０の表面をえぐるようにして取付面２０を形成してもよい。つまり、本体部１０の表面から裏面に向かって凹んだ形状になるように取付面２０を形成してもよい。
【００４６】
例えば、図５に示すような本体部１０Ａ、１０Ｂ、１０Ｃのように形成してもよい。この本体部１０Ａ、１０Ｂ、１０Ｃは、取付面２０が表面をえぐり取りることによって形成された表面、つまり断面円弧状になるように形成されている。
具体的には、上方表面部２１は、本体部１０Ａ、１０Ｂ、１０Ｃの上部表面から本体部１０Ａ、１０Ｂ、１０Ｃの下方内部に向かって表面が湾曲するように形成されている。そして、この上方表面部２１と交差するように略水平な交差面２２が本体部１０Ａ、１０Ｂ、１０Ｃの厚さ方向に沿って形成されている。すると、図５に示すように、照明部１１を交差面２２に取り付けた場合、上方に向かって放射された直接光の全てまたは一部は、上方表面部２１に向かって放射される。この上方表面部２１に向かって放射された直接光は、上方表面部２１で反射される。そして、上方表面部２１で反射された反射光は、間接照明光となって本体部１０Ａ、１０Ｂ、１０Ｃの前方へ向かって放射される。つまり、上方表面部２１を反射面として使用することができるので、上方表面部２１の断面の曲率半径を調整すれば、本体部１０Ａ、１０Ｂ、１０Ｃから前方へ向かう間接照明光の角度や間接照明光が放射される範囲を調整することができる。
【００４７】
したがって、上記のごとき本体部１０Ａ、１０Ｂ、１０Ｃを採用すれば、交差面２２に照明部１１を取り付けるだけで、本体部１０Ａ、１０Ｂ、１０Ｃの上方近傍の天井面ＣＳにおいて反射される直接光だけでなく本体部１０Ａ、１０Ｂ、１０Ｃから前方へ向かって放射される直接光も間接照明光とすることができる。しかも、上方表面部２１の断面の曲率半径を調整することによって、本体部１０Ａ、１０Ｂ、１０Ｃから前方へ向かって放射される間接照明光の角度や範囲もコントロールすることができる。
【００４８】
なお、図５（Ｂ）に示すように、交差面２２には、その先端部上面において、上方に向かって交差面２２から突出した突出部Ｐが設けられているのが好ましい。この場合、壁面ＷＳに取り付けられた本体部１０を人が見ても、突出部Ｐによって照明部１１が隠されるので、照明部１１は見えない。このため、かかる実施形態の照明付廻り縁１は、その外観がすっきりする。しかも、照明部１１は、突出部Ｐと上方表面部２１の基端部の間に取り付けられているので、照明部１１は外れにくくなる。
突出部Ｐの高さは、とくに制限されないが、照明部１１の厚さと同等またはそれ以上であるのが好ましい。とくに、突出部Ｐの高さが照明部１１の厚さよりも高い場合には、本体部１０を正面から見たときに、確実に照明部１１を突出部Ｐの背後に隠すことができる。例えば、照明部１１の厚さが２〜４ｍｍのときは、突出部Ｐの高さが、３〜５ｍｍが好ましく、４〜５ｍｍがより好ましい。
【００４９】
（調光機能および色調機能の説明）
また、照明部１１には、照明部１１のＬＥＤ光源部１２へ電力を供給し、かつ、ＬＥＤ光源部１２の動作を制御するための制御手段が電気的に導線などで接続されているのが好ましい。
この制御手段は、電源部と、この電源部と照明部１１に設けられているＬＥＤ光源部１２との間に電気的に接続する導線を備えている。電源部は、商用電源から供給される電力を直流電力に変換してＬＥＤ光源部１２に供給する電源と、電源の作動を制御してＬＥＤ光源部１２の作動を制御する作動制御回路を内蔵している。電源部に設けられる電源および作動制御回路はとくに限定されず、一般的なＬＥＤ光源に使用されるものを採用することができる。導線は、電源部とＬＥＤ光源部１２との間を電気的に接続できる一般的な導線であればよく、とくに限定されない。
【００５０】
上記のごとき制御手段を照明部１１に接続すれば、ＬＥＤ光源部１２を制御することができるので、本考案の照明付廻り縁１に調光機能なども付与することができる。例えば、制御手段によって、ＬＥＤ光源部１２から放射される光の光量を調整することができるので、本考案の照明付廻り縁１から放射される光を所望の明るさにできる。
【００５１】
また、制御手段によって、ＬＥＤ光源部１２のＯＮ、ＯＦＦも調整できる。
【００５２】
さらに、ＬＥＤ光源部１２に備えられた発光体１２ｅが異なる波長の光を発光することができるものであれば、制御手段によって、ＬＥＤ光源部１２から放射される光の色調も調整することができるので、本考案の照明付廻り縁１から放射される光を所望の色調にできる。
【産業上の利用可能性】
【００５３】
本考案の照明付廻り縁は、室内を間接照明によって照らすことができる天井近傍の壁面に取り付けて使用される廻り縁に適している。
【符号の説明】
【００５４】
１      照明付廻り縁
１０    本体部
１１    照明部
１２    ＬＥＤ光源部
１２ｂ  基盤
１２ｅ  発光体
２０    取付面
２１    上方表面部
２２    交差面
【図１】
0003173183.tif 000003
【図２】
0003173183.tif 000004
【図３】
0003173183.tif 000005
【図４】
0003173183.tif 000006
【図５】
0003173183.tif 000007